(57)【要約】 【課題】  子機を何処かに置き忘れたことをすぐに気づかせることができ、応答者が子機によって応答しやすくすることができる電話装置を提供する。【解決手段】  公衆通信回線１に接続される親機２０と、前記親機２０に無線で接続され、前記親機２０を介して公衆通信回線１に接続される子機３０とを含み、公衆通信回線１を通じて呼出しを受けると呼出し音を鳴らす電話装置であって、子機３０を充電する充電器３０ａと、子機３０を検出する検出部３８とを設け、検出部３８によって子機３０が充電器３０ａに装着されていないことが検出された場合は、親機２０あるいは子機３０の呼出し音を変化させ、あるいは呼出し音の回数を変化させる。【選択図】      図５
2009165042.tif 000002
【特許請求の範囲】
【請求項１】
通信回線に接続される親機と、前記親機と無線通信を行い、前記親機を介して通信回線に接続され、かつ充電器に着脱可能に装着されて充電可能な子機とを含み、前記親機および子機は、前記通信回線を通じて呼出しを受けると呼出し音を出力する出力部をそれぞれ備える電話装置であって、
前記子機が充電器に装着されているか否かを検出する検出手段と、
前記検出手段からの検出結果に基づいて、前記親機および子機のうち少なくとも一方の出力部から発せられる呼出し音を、前記子機が充電器に装着された状態と前記子機が充電器に装着されていない状態とに応じて変化させる変更手段を含むことを特徴とする電話装置。
【請求項２】
前記変更手段は、前記子機が前記充電器に装着されているときの呼出し音よりも、装着されていないときの呼出し音の音量を大きくするか、または前記子機が前記充電器に装着されているときと、装着されていないときとで、前記子機の出力部から発せられる呼出し音の音色を変更することを特徴とする請求項１記載の電話装置。
【請求項３】
前記親機と前記子機との距離を測定する測定手段をさらに含み、
前記変更手段は、前記検出手段によって前記子機が前記充電器に装着されていないことが検出されたときには、前記測定手段によって測定される距離に応じて、前記親機および子機のうち少なくとも一方の出力部から発せられる呼出し音を変化させることを特徴とする請求項１記載の電話装置。
【請求項４】
前記変更手段は、前記測定手段によって測定される前記親機と前記子機との距離が、予め定める距離未満のときと、予め定める距離以上のときとで、前記親機の出力部から発せられる呼出し音の音色を変化させることを特徴とする請求項３記載の電話装置。
【請求項５】
前記変更手段は、前記測定手段によって測定される前記親機と前記子機との距離が、予め定める距離未満のときに、予め定める距離以上のときよりも、前記親機の出力部から発せられる呼出し音の音量を小さくすることを特徴とする請求項３または４記載の電話装置。
【請求項６】
通信回線に接続される親機と、前記親機と無線通信を行い、前記親機を介して通信回線に接続され、かつ充電器に着脱可能に装着されて充電可能な子機とを含み、前記親機および子機は、前記通信回線を通じて呼出しを受けると呼出し音を出力する出力部をそれぞれ備え、前記出力部から予め定める回数の呼出し音を出力するか、または予め定める時間の呼出し音を出力した後に、回線を接続して通話を録音する留守番モードで動作可能な電話装置であって、
前記子機が充電器に装着されているか否かを検出する検出手段と、
前記留守番モードで動作しているとき、前記検出手段の検出結果に基づいて、前記子機が前記充電器に装着されているときよりも、装着されていないときに、前記予め定める回数が多くなるように変更するか、または予め定める時間が長くなるように変更する変更手段を含むことを特徴とする電話装置。
【請求項７】
複数の前記子機を備え、
複数の前記子機のうちのいずれかの子機を選択する選択手段を含み、
前記検出手段は、前記選択手段によって選択された子機が充電器に装着されているか否かを検出することを特徴とする請求項１〜６のいずれか１つに記載の電話装置。
【発明の詳細な説明】
【技術分野】
【０００１】
本発明は、親機と子機とを含む電話装置に関する。
【背景技術】
【０００２】
コードレス電話装置では、親機は有線で公衆回線に接続され、子機と親機とは無線で通信することができるように構成されている。子機は、充電器に着脱自在に装着されて充電され、必要に応じて充電器から離脱させてこの子機のみを持って移動し、充電器から離れた場所で通話することができる。
【０００３】
このようなコードレス電話装置では、親機および子機から発せられる呼出し音を、異なる音に設定する機能などを備えており、便利な使い方も提案されている。
【０００４】
特許文献１に記載されるコードレス電話装置は、子機の呼出し音量を、充電器で充電されている場合と、充電されていない場合とで切り換え、充電されていないときは、最大音量に設定するものである。
【０００５】
特許文献２に記載されるコードレス電話装置は、充電のために親機に子機が搭載されているときには、この搭載されている子機からの呼出し音を停止させて、親機のみから呼出し音を発するものである。このコードレス電話装置では、親機は、子機を充電するための充電器として機能する。
【０００６】
【特許文献１】実開平４−５０９４７号公報
【特許文献２】特開２００３−８７３５７号公報
【発明の開示】
【発明が解決しようとする課題】
【０００７】
充電器から子機を離脱させて、移動して子機を使用して、移動した先で子機を置き忘れてしまい、充電器が設けられる位置に子機が存在しない状況で、呼出し音が鳴ると、応答者は先ず充電器の定位置に赴いて、子機がないことに気づき、その子機を探すことになる。このとき子機を探すのに時間がかかってしまい相手を待たせてしまったり、あるいは留守番モードで動作させているときには、呼出し音の回数が留守番応答になる設定回数に達してしまう気遣いから、直ちに親機によって応答してしまう場合がある。親機によって応答した場合には、通話が終わるまで、親機が設置されている場所から当然移動できない。
【０００８】
特許文献１に記載されるコードレス電話機は、単に設定の手間を省くことを目的にしており、また充電器によって充電されているか否かによって、音量を変更するので、充電器に接続されていても、充電器によって充電されていない場合には、充電器によって充電されている場合と異なる音量で呼出し音を鳴らすことになり、応答者にとって子機を探すのに紛らわしいという問題がある。
【０００９】
特許文献２に記載されるコードレス電話機は、親機に搭載されている子機の呼出し音を停止させることを目的にしており、子機が充電器として機能する親機の設けられる位置に存在しない状況で、呼出し音が鳴ると、子機を利用しようとする場合には、応答者は、やはり子機を探すのに時間がかかってしまう。
【００１０】
本発明の目的は、上記の点に鑑みなされたもので、子機を何処かに置き忘れたことをすぐに気づかせることができ、応答者が子機によって応答しやすくすることができる電話装置を提供することである。
【課題を解決するための手段】
【００１１】
本発明は、通信回線に接続される親機と、前記親機と無線通信を行い、前記親機を介して通信回線に接続され、かつ充電器に着脱可能に装着されて充電可能な子機とを含み、前記親機および子機は、前記通信回線を通じて呼出しを受けると呼出し音を出力する出力部をそれぞれ備える電話装置であって、
前記子機が充電器に装着されているか否かを検出する検出手段と、
前記検出手段からの検出結果に基づいて、前記親機および子機のうち少なくとも一方の出力部から発せられる呼出し音を、前記子機が充電器に装着された状態と前記子機が充電器に装着されていない状態とに応じて変化させる変更手段を含むことを特徴とする電話装置である。
【００１２】
また本発明の前記変更手段は、前記子機が前記充電器に装着されているときの呼出し音よりも、装着されていないときの呼出し音の音量を大きくするか、または前記子機が前記充電器に装着されているときと、装着されていないときとで、前記子機の出力部から発せられる呼出し音の音色を変更することを特徴とする。
【００１３】
また本発明は、前記親機と前記子機との距離を測定する測定手段をさらに含み、
前記変更手段は、前記検出手段によって前記子機が前記充電器に装着されていないことが検出されたときには、前記測定手段によって測定される距離に応じて、前記親機および子機のうち少なくとも一方の出力部から発せられる呼出し音を変化させることを特徴とする。
【００１４】
また本発明の前記変更手段は、前記測定手段によって測定される前記親機と前記子機との距離が、予め定める距離未満のときと、予め定める距離以上のときとで、前記親機の出力部から発せられる呼出し音の音色を変化させることを特徴とする。
【００１５】
また本発明の前記変更手段は、前記測定手段によって測定される前記親機と前記子機との距離が、予め定める距離未満のときに、予め定める距離以上のときよりも、前記親機の出力部から発せられる呼出し音の音量を小さくすることを特徴とする。
【００１６】
また本発明は、通信回線に接続される親機と、前記親機と無線通信を行い、前記親機を介して通信回線に接続され、かつ充電器に着脱可能に装着されて充電可能な子機とを含み、前記親機および子機は、前記通信回線を通じて呼出しを受けると呼出し音を出力する出力部をそれぞれ備え、前記出力部から予め定める回数の呼出し音を出力するか、または予め定める時間の呼出し音を出力した後に、回線を接続して通話を録音する留守番モードで動作可能な電話装置であって、
前記子機が充電器に装着されているか否かを検出する検出手段と、
前記留守番モードで動作しているとき、前記検出手段の検出結果に基づいて、前記子機が前記充電器に装着されているときよりも、装着されていないときに、前記予め定める回数が多くなるように変更するか、または予め定める時間が長くなるように変更する変更手段を含むことを特徴とする電話装置である。
【００１７】
また本発明は、複数の前記子機を備え、
複数の前記子機のうちのいずれかの子機を選択する選択手段を含み、
前記検出手段は、前記選択手段によって選択された子機が充電器に装着されているか否かを検出することを特徴とする。
【発明の効果】
【００１８】
本発明によれば、通信回線からの呼出しを受けると、呼出し音を出力する親機および子機を備える電話装置であって、子機が充電器に装着されているか否かを検出する検出手段の検出結果に基づいて、変更手段によって親機および子機のうち少なくとも一方の呼出し音を変更させるため、子機が定位置に存在しないことを、親機あるいは子機の周囲の人に通知し、知らしめることができる。
【００１９】
また本発明によれば、子機が充電器に装着されているときよりも、装着されていないときの方が、子機の出力部から発せられる呼出し音の大きさを大きくしたり、子機が充電器に装着されているときと、装着されていないときとで、音色を変えたりするため、子機の存在する位置を子機の周囲の人にとって、より分かりやすくすることができる。
【００２０】
また本発明によれば、親機と子機との距離を測定する測定手段を備え、この測定手段によって測定される距離に応じて、親機あるいは子機の呼出し音を変化させる変更手段を備えているため、親機と子機との位置間隔を、親機あるいは子機の周囲の人に分かりやすくすることができる。
【００２１】
また本発明によれば、親機と子機との距離が、予め定める距離未満と以上とで、親機の呼出し音の音色を変化させるため、子機を見つけ出せる時間が多く掛かるか否かを、親機の周囲の人に分かりやすくでき、親機で応答すべきか否かの判断を行いやすくできる。
【００２２】
また本発明によれば、親機と子機との距離が、予め定める距離未満のときに、予め定める距離以上のときよりも、親機の呼出し音の音量を小さくするため、親機の周囲にいる人にとって、子機が親機の近くにあることを通知して、子機での応答を優先させ、親機で応答してしまう機会を減らすことができる。
【００２３】
また本発明によれば、予め定める回数、または予め定める時間の呼出し音を出力した後に、回線を接続して録音する留守番モードで動作可能な電話装置であって、留守番モードで動作しているときに、子機が充電器に装着されていない場合は、装着されている場合よりも、予め定める回数が多くなるように、または予め定める時間が長くなるように変更する変更手段を備えているため、子機を探し出す時間的余裕を与えることができる。
【００２４】
また本発明によれば、複数の子機を有する複数の子機のうちいずれかの子機を選択する選択手段を備え、この選択手段によって選択された子機が充電器に装着されているか否かを検出することによって、特定の子機だけを特別に扱うことができる。
【発明を実施するための最良の形態】
【００２５】
図１は、本発明の実施の一形態に係る電話装置１０の構成を示すブロック図であり、図２は電話装置１０の外観斜視図である。図１では、図２に示す充電器３０ａ，４０ａ，５０ａは、図面が錯綜して理解が困難になるので、記載を省略する。
【００２６】
電話装置１０は、コードレス電話装置であって、公衆通信回線１に接続される親機２０と、親機２０に無線によって接続され、親機２０を介して公衆通信回線１に接続される複数の子機３０，４０，５０と、複数の子機３０，４０，５０をそれぞれ充電する複数の充電器３０ａ，４０ａ，５０ａとを含む。充電器３０ａ，４０ａ，５０ａは、子機３０，４０，５０と同数が設けられる。ここでは、説明の便宜上、３つの子機３０，４０，５０を図示しているが、子機は３機に限るものではない。本実施形態では、電話装置１０は、３つの子機３０，４０，５０、すなわち第１の子機３０、第２の子機４０および第３の子機５０と、各子機３０，４０，５０を充電する３つの充電器、すなわち第１の子機３０を充電する第１の充電器３０ａ、第２の子機４０を充電する第２の充電器４０ａ、および第３の子機５０を充電する第３の充電器５０ａとを含む。各充電器３０ａ，４０ａ，５０ａは、親機２０と別個に設けられる。親機２０には、各子機３０，４０，５０に関する情報が、後述する登録部２７に識別可能に登録されている。
【００２７】
電話装置１０は、親機２０および子機３０，４０，５０に対して共通に用いられる共通電話番号と、各子機３０，４０，５０に対して個別に用いられる個別電話番号とを持っている。共通電話番号で着信があった場合、親機２０および子機３０，４０，５０において、いずれにも着信がある。また、個別電話番号で着信があった場合は、複数の子機３０，４０，５０のうち、親機２０を通じて個別電話番号に対応する子機で着信がある。この共通電話番号は、たとえば公衆交換電話網を用いるＰＳＴＮ（Public Switched Telephone Networks）電話およびＩＰ（Internet Protocol）ネットワークを用いるＩＰ電話に対して、共通に用いられる。
【００２８】
親機２０は、公衆通信回線１に接続される回線部２１と、電話番号などの入力情報を入力する操作部２２と、電話番号などの表示情報を表示する表示部２３と、音声信号を入力するマイクおよび音声信号を出力するスピーカを有する送受話部２４と、各子機３０，４０，５０と無線によって通信するための無線部２５と、各子機３０，４０，５０との距離を測定する測定部２８と、公衆通信回線１を通じて呼出しを受けると呼出し音を出力するスピーカを有する出力部２９と、留守番モードにおいて回線部２１を介して通話を録音する留守番電話部６０と、前記回線部２１、操作部２２、表示部２３、送受話部２４、無線部２５、測定部２８、出力部２９および留守番電話部６０を制御する制御手段である制御部２６とを備える。前記制御部２６は、後述する呼出し音を変化させる変更手段を構成する。本実施形態の電話装置１０は、留守番モードで動作可能な留守番電話装置である。留守番電話部６０は、回線部２１を介して公衆通信回線１に接続可能に構成される。
【００２９】
測定部２８は、たとえば各子機３０，４０，５０から親機２０へ送信される電波を受信して、この受信した電波の電波強度に基づいて、親機２０と各子機３０，４０，５０との間の距離を測定し、この距離を表す距離信号を出力する。また、超音波などを利用した距離センサを用いて、この測定部２８を構成するようにしてもよい。
【００３０】
親機２０の制御部２６は、制御プログラムを記憶する記憶手段である読取り専用記憶装置（Read Only Memory:略称ＲＯＭ）と、読取り書込み記憶装置（Random Access Memory:略称ＲＡＭ）に記憶される制御プログラムを実行する中央演算処理装置（Central       Processing Unit：略称ＣＰＵ）とを含んで構成される。
【００３１】
第１の子機３０は、電話番号などの入力情報を入力する操作部３２と、電話番号などの表示情報を表示する表示部３３と、音声信号を入力するマイクおよび音声信号を出力するスピーカを有する送受話部３４と、親機２０と無線によって通信するための無線部３５と、設定情報記憶手段であるメモリ部３７と、充電器３０ａに装着されているか否か、即ち充電器３０ａの充電台３１に置かれているか否かを検出するための検出部３８と、公衆通信回線１および親機２０を通じて呼出しを受けると呼出し音を出力するスピーカを有する出力部３９と、前記操作部３２、表示部３３、送受話部３４、無線部３５、メモリ部３７、検出部３８および出力部３９を制御する制御手段である制御部３６とを備える。制御部３６は、後述する呼出し音を変化させる変更手段を構成する。
【００３２】
第２および第３の子機４０，５０は、検出部３８において対応する充電器４０ａ，５０ａに装着されているか否かを検出すること以外は第１の子機３０と同様に構成されるので、重複を避けて第２および第３の子機４０，５０を構成する各部３２〜３９の図示および説明は省略する。検出部３８は、第１の子機３０では、第１の充電器３０ａに装着されているか否か、すなわち第１の充電器３０ａの充電台３１に置かれているか否かを検出し、第２の子機４０では、第２の充電器４０ａに装着されているか否か、すなわち第２の充電器４０ａの充電台４１に置かれているか否かを検出し、第３の子機５０では、第３の充電器５０ａに装着されているか否か、すなわち第３の充電器５０ａの充電台５１に置かれているか否かを検出する。
【００３３】
検出部３８については、たとえば次の図３のような構成によって実現することができる。
【００３４】
図３は、第１の子機３０と第１の充電器３０ａとによって構成される充電回路を示す電気回路図である。第２および第３の子機４０，５０と各子機４０，５０に対応する充電器４０ａ，５０ａとによって構成される充電回路も、第１の子機３０と第１の充電器３０ａとによって構成される充電回路と同様に構成されるので、重複を避けて説明は省略する。
【００３５】
本実施形態では、商用交流電源の交流電圧を直流電圧に変換するＡＣアダプタ１００には、子機３０を充電するための充電器３０ａの充電台３１にＡＣアダプタ１００を接続するためのプラグ１０１が設けられる。充電器３０ａの充電台３１は、プラグ１０１が挿入されるジャック１０２と、子機３０が充電器３０ａに装着されたこと、即ち充電台３１に置かれていることを検知する子機検知センサ１０３と、子機検知センサ１０３と連動するスイッチ１０４と、抵抗１０５と、スイッチング用のトランジスタ１０６と、子機３０に直流電圧を印加する端子１０７とを含む。充電器３０ａは、前記充電台３１と、ＡＣアダプタ１００と、プラグ１０１とを含む。
【００３６】
また、子機３０は、充電器３０ａの端子１０７に対応する端子１０８と、抵抗１０９，１１０と、逆流防止用のダイオード１１１と、印加される直流電圧によって充電される二次電池１１２と、子機３０が充電器３０ａの充電台３１に置かれているか否かを表す検出信号を出力する出力端子１１３とを含む。
【００３７】
子機３０が充電器３０ａに装着されていない状態では、出力端子１１３の検出信号はたとえばゼロＶ付近のローレベルである。一方、子機３０が充電器３０ａに装着されている状態では、子機検知センサ１０３が子機３０によって図３の右側に押され、スイッチ１０４を導通させる。スイッチ１０４が導通すると、トランジスタ１０６がオンしてＡＣアダプタ１００からプラグ１０１、ジャック１０２、端子１０７，１０８を通じて出力端子１１３に電圧が印加されるとともに、抵抗１０９とダイオード１１１とを通じて、二次電池１１２にも電圧が印加されて充電することになる。
【００３８】
したがって、子機３０の出力端子１１３の電位を検出部３８によって検出するようにすれば、子機３０が充電器３０ａに装着されているか否かを判別することができる。そして、このような出力端子１１３の検出信号を子機３０の制御部３６に入力することによって、制御部３６は無線部３５に検出信号を送信させ、親機２０の無線部２５と制御部２６とを通じて親機２０に報知する。
【００３９】
子機３０の制御部３６は、制御プログラムを記憶する記憶手段である読取り専用記憶装置（Read Only Memory:略称ＲＯＭ）と、読取り書込み記憶装置（Random Access Memory:略称ＲＡＭ）に記憶される制御プログラムを実行する中央演算処理装置（Central       Processing Unit：略称ＣＰＵ）とを含んで構成される。
【００４０】
子機３０のメモリ部３７は、書換え可能な記憶手段、たとえばフラッシュメモリによって実現される。第２および第３の子機４０，５０についても上記の第１の子機３０と同様に構成されるが、電話がかかってきたとき、親機２０からの呼出し指示を、たとえば主に第１の子機３０が受けるように設定されている。
【００４１】
各子機３０，４０，５０の制御部３６は、待機状態における共通電話番号の着信に対して、呼出しを行う呼出処理および呼出しを行わない非呼出処理のいずれか１つを選択的に実行する。各子機３０，４０，５０のメモリ部３７には、待機状態における共通電話番号の着信に対して、各子機３０，４０，５０の制御部３６によって実行されるべき処理が、呼出処理および非呼出処理のいずれかであるかを示す着信処理設定情報が記憶される。
【００４２】
各子機３０，４０，５０の制御部３６は、待機状態において、共通電話番号の着信があったとき、メモリ部３７に記憶される着信処理設定情報に基づいて、呼出処理および非呼出処理のいずれか１つを実行する。各子機３０，４０，５０のメモリ部３７に記憶される着信処理設定情報は、利用者が各子機３０，４０，５０の操作部３２を操作することによって選択でき、同時にこの選択を変更することも可能である。各子機３０，４０，５０の操作部３２は、複数の子機３０，４０，５０のうち、主に使用する端末を、いずれの子機にするのか選択する選択手段に相当する。
【００４３】
図４および図５は、本発明に係る一実施形態の電話装置１０の動作を説明するためのフローチャートであり、図４は親機２０の制御部２６における着信時の呼出し処理の動作を示すフローチャートであり、図５は各子機３０，４０，５０の制御部３６における着信時の呼出し処理の動作を示すフローチャートである。図４および図５では、留守番モードに設定されていない場合の動作を示す。
【００４４】
先ず図４のステップＳ０の開始時点では、第１の子機３０だけが優先的に（以下、主にと称す）使用する端末に設定されているものとする。
【００４５】
公衆通信回線１を介して親機２０が着呼すると、図４のステップＳ０で親機２０の制御部２６における着信時の呼出し処理が開始されてステップＳ１に進み、ステップＳ１において、親機２０の制御部２６は、子機３０，４０，５０の全てを呼出し、ステップＳ２に進む。具体的には、ステップＳ１において、親機２０の制御部２６は、全ての子機３０，４０，５０に呼出し信号を送信するように、親機２０の無線部２５を制御する。親機２０の無線部２５は、親機２０の制御部２６からの指令に基づいて、全ての子機３０，４０，５０に呼出し信号を送信する。このようにして全ての子機３０，４０，５０に呼出し信号を送信すると、ステップＳ２に進む。
【００４６】
ステップＳ２では、親機２０の制御部２６は、呼出し音の出力を開始するように、親機２０の出力部２９を制御する。親機２０の出力部２９は、親機２０の制御部２６からの指令に基づいて、スピーカによって呼出し音の出力を開始する。このようにして親機２０の呼出し音の出力を開始すると、ステップＳ３に進む。
【００４７】
ステップＳ３では、親機２０の制御部２６は、停止条件を満足するか否かを判断し、停止条件を満足すると判断するとステップＳ４に進み、停止条件を満足しないと判断するとステップＳ３に戻る。本実施形態では、停止条件は、親機２０および子機３０，４０，５０のうちのいずれかがオフフックされて通話状態になること、および公衆通信回線１からの切断信号を受信して公衆通信回線１からの呼出しが停止することであり、いずれかを満足すると、停止条件を満足する。すなわち親機２０の制御部２６は、親機２０および第１〜第３の子機３０，４０，５０のうちのいずれかで通話状態になるか、または公衆通信回線１からの呼出しが停止すると、ステップＳ４に進む。
【００４８】
第１〜第３の子機３０，４０，５０のいずれかがオフフックされて通話状態になったことは、親機２０の無線部２５が、いずれかの子機３０，４０，５０から送信される応答信号を受信することによって検出される。公衆通信回線１からの切断信号は、発呼者がオンフックして発呼を中断すると、親機２０に送信される。
【００４９】
ステップＳ４では、親機２０の制御部２６は、呼出し音の出力を停止するように、親機２０の出力部２９を制御する。親機２０の出力部２９は、親機２０の制御部２６からの指令に基づいて、呼出し音の出力を停止する。このようにして親機２０の呼出し音の出力を停止すると、ステップＳ５に進む。
【００５０】
ステップＳ５では、親機２０の制御部２６は、各子機３０，４０，５０に呼出し停止信号を送信するように、親機２０の無線部２５を制御する。親機２０の制御部２６は、ステップＳ３において、第１〜第３の子機３０，４０，５０のうちのいずれかが通話状態になることによって停止条件が満足された場合には、通話状態になった子機以外の子機に呼出し停止信号を送信し、ステップＳ３において、親機２０が通話状態になるか、または公衆通信回線１からの呼出しが停止することによって停止条件が満足された場合には、全ての子機３０，４０，５０に呼出し停止信号を送信するように、親機２５の無線部２５を制御する。親機２５の無線部２５は、親機２０の制御部２６からの指令に基づいて、呼出し停止信号を送信するべき子機３０，４０，５０に呼出し停止信号を送信する。このようして子機３０，４０，５０に呼出し停止信号を送信すると、ステップＳ６に進み、着信時の呼出し処理を終了する。
【００５１】
図４のステップＳ１で親機２０の無線部２５から送信された呼出し信号を各子機３０，４０，５０が受信すると、図５のステップＳ１０で、各子機３０，４０，５０の制御部３６における着信時の呼出し処理が開始されて、ステップＳ１１に進む。ステップＳ１１では、各子機３０，４０，５０において、主に使用する端末に設定されているか否かが、その子機３０，４０，５０の制御部３６によってチェックされ、主に使用する端末に設定されていればステップＳ１２に進み、主に使用する端末に設定されていない場合にはステップＳ１３に進む。
【００５２】
本実施形態では、第１の子機３０だけが主に使用する端末に設定されているので、ステップＳ１１において、第１の子機３０ではステップＳ１２に進み、第２および第３の子機４０，５０についてはステップＳ１３に進む。
【００５３】
ステップＳ１２では、第１の子機３０の制御部３６は、検出部３８からの検出信号に基づいて、第１の子機３０が第１の充電器３０ａの充電台３１に置かれているか否か、すなわち第１の充電器３０ａに装着されているか否かをチェックし、第１の子機３０が第１の充電器３０ａに装着されていればステップＳ１３に進み、第１の子機３０が第１の充電器３０ａに装着されていない場合にはステップＳ１４に進む。本実施形態とは異なるが、第２および第３の子機４０，５０のいずれか一方または両方が、主に使用する端末に設定されている場合、主に使用する端末に設定されている子機４０，５０の制御部３６は、ステップＳ１１からステップＳ１２に進み、ステップＳ１２において、本実施形態における第１の子機３０の制御部３６と同様の処理を行なう。
【００５４】
ステップＳ１３では、各子機３０，４０，５０の制御部３６は、たとえば中程度の音量と音色で子機３０，４０，５０を鳴動させるように、すなわち中程度の音量および音色の呼出し音の出力を開始するように、その子機３０，４０，５０の出力部３９を制御する。各子機３０，４０，５０の出力部３９は、その子機３０，４０，５０の制御部３６からの指令に基づいて、スピーカによって中程度の音量および音色の呼出し音の出力を開始する。このようにして各子機３０，４０，５０の出力部３９からの呼出し音の出力を開始すると、ステップＳ１５に進む。
【００５５】
また、ステップＳ１４では、第１の子機３０の制御部３６によって実現される変更手段によって、第１の子機３０の出力部３９から発せられる呼出し音（以下「鳴動音」ということがある）を、第１の子機３０が第１の充電器３０ａに装着されているときとは異なる音調に変更して、その呼出し音の出力を開始するように、第１の子機３０の出力部３９を制御する。第１の子機３０の出力部３９は、第１の子機３０の制御部３６からの指令に基づいて、装着状態のときとは異なる音調の呼出し音の出力を開始する。たとえば、第１の子機３０の制御部３９は、第１の子機３０の呼出し音の音量を大きくしたり、音色を変えたり、または音量を大きくかつ音色を変えたりして、第１の子機３０が第１の充電器３０ａに装着された状態における鳴動音とは異なる態様で鳴動させ、通常とは違う印象を子機３０の周囲にいる人に与える。
【００５６】
このようにして主に使用する端末に設定されている端末である第１の子機３０の出力部３９からの呼出し音の出力を開始すると、ステップＳ１５に進む。本実施形態とは異なるが、第２および第３の子機４０，５０のいずれか一方または両方が、主に使用する端末に設定されている場合、主に使用する端末に設定されている子機４０，５０の制御部３６は、ステップＳ１１からステップＳ１２、ステップＳ１４の順に進み、ステップＳ１４において、本実施形態における第１の子機３０の制御部３６と同様の処理を行なう。
【００５７】
ステップＳ１５では、各子機３０，４０，５０の制御部３６は、その子機３０，４０，５０がオフフックされたか否かを判断し、オフフックされたと判断するとステップＳ１６に進み、オフフックされていないと判断するとステップＳ１７に進む。
【００５８】
ステップＳ１６では、各子機３０，４０，５０の制御部３６は、その子機３０，４０，５０がオフフックされたことを表す応答信号を親機２０に送信するように、その子機３０，４０，５０の無線部３５を制御する。各子機３０，４０，５０の無線部３５は、その子機３０，４０，５０の制御部３６からの指令に基づいて、親機２０に応答信号を送信する。このようにして親機２０に応答信号を送信すると、ステップＳ１８に進む。
【００５９】
またステップＳ１７では、各子機３０，４０，５０の制御部３６は、その子機３０，４０，５０の無線部３５が、親機２０から送信された呼出し停止信号を受信したか否かを判断し、呼出し停止し号を受信したと判断するとステップＳ１８に進み、呼出し停止信号を受信していないと判断するとステップＳ１５に戻る。親機２０からの呼出し停止信号は、前述のように発呼者がオンフックして発呼を中断するか、または応答者すなわち着信側の操作者が親機２０および第１〜第３の子機３０，４０，５０のいずれかがオフフックされて通話状態になると、送信されるべき子機３０，４０，５０に親機２０から送信される。
【００６０】
ステップＳ１８では、各子機３０，４０，５０の制御部３６は、呼出し音の出力を停止するように、その子機３０，４０，５０の出力部３９を制御する。各子機３０，４０，５０は、その子機３０，４０，５０の制御部３６からの指令に基づいて、呼出し音の出力を停止する。このようにして各子機３０，４０，５０の呼出し音の出力を停止するとステップＳ１９に進み、着信時の呼出し処理の動作（以下「鳴動動作」ということがある）を終了する。
【００６１】
このように各子機３０，４０，５０では、発呼者がオンフックして発呼を中断するか、または親機２０もしくは他の子機がオフフックされることによって親機２０から送信される呼出し停止信号を受信するか、その子機３０，４０，５０がオフフックされると、ステップＳ１９に進み、鳴動動作が終了する。
【００６２】
以上のように本実施の形態では、主に使用する端末に設定されている子機、すなわち第１の子機３０が充電器３０ａに装着されていないときには、鳴動音が装着状態のときとは異なる態様で鳴動するので、その子機３０の周囲にいる人に対しては、その子機３０は充電器３０ａに装着されていない、即ち充電台３１（定位置）に置かれていないことを通知し、その旨を明確に認識させることができる。
【００６３】
本実施の形態では、主に使用する端末に設定されている子機である第１の子機３０が充電器３０ａに装着されていない場合、その子機３０の制御部３６によって、その子機３０の呼出し音の音量や音色を変化させているが、これを子機側ではなく親機側２０で行なう、すなわち親機２０の制御部２６によって、親機２０の呼出し音の音量や音色を変化させるようにしてもよい。親機２０側で行えば、親機２０の周囲の人に第１の子機３０が充電器３０ａに装着されていないことを通知することができる。
【００６４】
この場合、第１の子機３０の制御部３６は、前述の図５に示すステップＳ１４において、呼出し音の音調を変更して呼出し音の出力を開始するように第１の子機３０の出力部３９を制御することに代えて、第１の子機３０が充電器３０ａに装着されていないことを表す信号（以下「非装着信号」という）を親機２０に出力するように、第１の子機３０の無線部３５を制御する。これによって、第１の子機３０が充電器３０ａに装着されていないことが、親機２０に通知される。親機２０の無線部２５が非装着信号を受信すると、親機２０の制御部２６は、第１の子機３０の制御部３６と同様にして、親機２０の出力部２９から発せられる呼出し音を、第１の子機３０が充電器３０ａに装着されているときとは異なる音調に変更して、その呼出し音の出力を開始するように、親機２０の出力部２９を制御する。
【００６５】
また、本実施の形態では、第１の子機３０だけの呼出し音の音量や音色を変化させているが、主に使用する端末として複数の子機、たとえば第１の子機３０および第２の子機４０を設定しておき、呼出し音の音量や音色を同時に変化させるなど、複数台の子機の呼出し音の音量や音色を同時に変化させるようにしてもよい。このようにすることにより、複数台の子機が充電台に置かれていないことを通知することができる。
【００６６】
この場合にも、前述のように親機２０の呼出し音の音量や音色を変化させるようにしてもよい。たとえば充電台に置かれていない子機の数に応じて親機２０の呼出し音の音量や音色を変化させることによって、複数台の子機が充電台に置かれていないことを通知することができる。また充電台に置かれていない子機の種類に応じて親機２０の呼出し音の音量や音色を変化させることによって、どの子機が充電台に置かれていないかを通知することができる。
【００６７】
図６および図７は、電話装置１０が留守番電話装置で留守番モードに設定されている場合の動作を示すフローチャートであり、図６は親機２０の制御部２６における着信時の呼出し処理の動作を示すフローチャートで、図７は子機３０，４０，５０の制御部３６における着信時の呼出し処理の動作を示すフローチャートである。
【００６８】
先ず、図６のステップＳ２０の開始時点では、第１の子機３０だけが主に使用される端末に設定されているものとする。
【００６９】
公衆通信回線１を介して親機２０が着呼すると、図６のステップＳ２０で親機２０の制御部２６における着信時の呼出し処理の動作が開始されてステップＳ２１に進み、ステップＳ２１において、親機２０の制御部２６は、子機３０，４０，５０の全てを呼出し、ステップＳ２２に進む。具体的には、前述の図４に示すステップＳ１と同様に、親機２０の制御部２６は、親機２０の無線部２５を制御して、全ての子機３０，４０，５０に呼出し信号を送信させて、ステップＳ２２に進む。ステップＳ２２では、前述の図４に示すステップＳ２と同様に、親機２０の制御部２６は、親機２０の出力部２９を制御して、親機２０の呼出し音の出力を開始させ、ステップＳ２３に進む。
【００７０】
ステップＳ２３では、親機２０の制御部２６によって、留守番モードか否か、すなわち留守番モードに設定されているか否かがチェックされ、留守番モードであればステップＳ２４に進み、留守番モードでなければステップＳ３ａに進む。ステップＳ３ａでは、前述の図４に示すステップＳ３と同様に、親機２０の制御部２６は、停止条件を満足するか否かを判断し、停止条件を満足すると判断するとステップＳ４ａに進み、停止条件を満足しないと判断するとステップＳ３ａに戻る。
【００７１】
ステップＳ２４では、親機２０の制御部２６は、主に使用する端末に設定されている子機、本実施形態では第１の子機３０が充電器３０ａに装着されていないこと、即ち充電台３１に第１の子機３０が置かれていないことを表す非装着信号を親機２０の無線部２５が受信したか否かを判断し、非装着信号を受信したと判断するとステップＳ２５に進み、非装着信号を受信していないと判断するとステップＳ２６に進む。非装着信号は、第１の子機３０から送信される。
【００７２】
ステップＳ２５では、親機２０の制御部２６によって実現される変更手段によって、回線を接続して留守番電話部６０で通話の録音を開始するまでに親機２０の出力部２９によって呼出し音を鳴らす回数として予め定められる留守番応答コール回数（以下、単に「応答コール回数」ということがある）を、通常すなわち非装着信号を受信していない場合よりも増やす。これによって、第１の子機３０を探し出す時間的余裕を与える。第１の子機３０を探す余裕が与えられるため、応答者は落ち着いて第１の子機３０を探すことができる。本発明の他の実施の形態では、この応答コール回数を増やす以外に、変更手段である親機２０の制御部２６によって、回線を接続して通話の録音を開始するまでに呼出し音を鳴らす時間である応答コール時間を長くするようにしてもよい。このようにして応答コール回数を変更すると、ステップＳ２６に進む。
【００７３】
ステップＳ２６では、前述の図４に示すステップＳ３と同様に、親機２０の制御部２６は、停止条件を満足するか否かを判断し、停止条件を満足すると判断するとステップＳ４ａに進み、停止条件を満足しないと判断するとステップＳ２７に進む。ステップＳ２７では、親機２０の制御部２６は、親機２０の出力部２９からの呼出し音の出力回数が、応答コール回数に達したか否かを判断し、応答コール回数に達したと判断するとステップＳ２８に進み、応答コール回数に達していないと判断するとステップＳ２６に戻る。
【００７４】
ステップＳ２８では、親機２０の制御部２６は、留守応答を開始する。具体的には、親機２０の制御部２６は、回線部２１を公衆通信回線１に接続するとともに、通話の録音を開始するように留守番電話部６０を制御する。留守番電話部６０は、親機２０の制御部２６からの指令に基づいて、通話の録音を開始する。このようにして留守応答を開始すると、ステップＳ４ａに進む。
【００７５】
ステップＳ４ａでは、親機２０の制御部２６は、前述の図４に示すステップＳ４と同様に、親機２０の出力部２９を制御して、親機２０の呼出し音の出力を停止させ、ステップＳ５ａに進む。ステップＳ５ａでは、親機２０の制御部２６は、前述の図４に示すステップＳ５と同様に、親機２０の無線部２５を制御して、各子機３０，４０，５０に呼出し停止信号を送信させる。このようにして呼出し停止信号を送信すると、ステップＳ２９に進み、留守番モードに設定されている場合の着信時の呼出し処理を終了する。
【００７６】
一方、各子機３０，４０，５０の側では、図６のステップＳ２１で親機２０から送信された呼出し信号を各子機３０，４０，５０がいずれも受信すると、図７に示すステップＳ３０において、各子機３０，４０，５０の制御部３６における着信時の呼出し処理が開始されて、ステップＳ３１に進む。ステップＳ３１では、各子機３０，４０，５０において、主に使用する端末に設定されているか否かがチェックされ、設定されている場合にはステップＳ３２に進み、設定されていない場合にはステップＳ３３に進む。
【００７７】
ステップＳ３１において、本実施形態のように第１の子機３０だけが主に使用する端末に設定され、第２および第３の子機４０，５０は主に使用する端末として設定されていない場合には、第１の子機３０はステップＳ３２に進み、第２および第３の子機４０，５０についてはステップＳ３３に進む。
【００７８】
ステップＳ３２では、前述の図５に示すステップＳ１２と同様に、第１の子機３０の制御部３６は、検出部３８からの検出信号に基づいて、第１の子機３０が第１の充電器３０ａに装着されているか否か、即ち第１の充電器３０ａの充電台３１に置かれているか否かをチェックし、装着されている場合には、ステップＳ３３に進み、装着されていない場合にはステップＳ３４に進む。ステップＳ３３では、前述の図５に示すステップＳ１３と同様に、各子機３０，４０，５０の制御部３６は、その子機３０，４０，５０の出力部３９を制御して、通常どおりの、たとえば中程度の音量と音色で呼出し音の出力を開始させる。このようにして各子機３０，４０，５０の出力部３９からの呼出し音の出力を開始させると、ステップＳ１５ａに進む。
【００７９】
また、ステップＳ３４では、第１の子機３０の制御部３６は、第１の子機３０が充電台３１に置かれていないことを親機２０に通知して、ステップＳ３５に進む。具体的には、第１の子機３０の制御部３６は、第１の子機３０が充電器３０ａに装着されていないことを表す非装着信号を親機２０に送信するように、第１の子機３０の無線部３５を制御する。第１の子機３０の無線部３５は、第１の子機３０の制御部３６からの指令に基づいて、非装着信号を親機２０に送信する。本実施形態とは異なるが、第２および第３の子機４０，５０のいずれか一方または両方が、主に使用する端末に設定されている場合、主に使用する端末に設定されている子機４０，５０の制御部３６は、ステップＳ３１からステップＳ３２に進んで、ステップＳ３２において、その子機４０，５０が充電器４０ａ，５０ａに装着されていないと判断されるとステップＳ３４に進み、ステップＳ３４において、本実施形態における第１の子機３０の制御部３６と同様の処理を行なう。
【００８０】
ステップＳ３５では、前述の図５に示すステップＳ１４と同様に、主に使用する端末に設定されている第１の子機３０の制御部３６によって、第１の子機３０の出力部３９から出力される呼出し音を、装着状態とは異なる音調に変更して、その呼出し音の出力を第１の子機３０の出力部３９によって開始させる。たとえば、第１の子機３０の制御部３６は、第１の子機３０の呼出し音の音量を大きくしたり、あるいは音色を変えたり、または音量を大きく、かつ音質を変化させたりして、通常とは違う印象を第１の子機３０の周囲の人に与える。このようにして主に使用する端末に設定されている端末である第１の子機３０からの呼出し音の出力を開始すると、ステップＳ１５ａに進む。
【００８１】
ステップＳ１５ａでは、前述の図５に示すステップＳ１５と同様に、各子機３０，４０，５０の制御部３６は、その子機３０，４０，５０がオフフックされたか否かを判断し、オフフックされたと判断するとステップＳ１６ａに進み、オフフックされていないと判断するとステップＳ１７ａに進む。ステップＳ１６ａでは、前述の図５に示すステップＳ１６と同様に、各子機３０，４０，５０の制御部３６は、その子機３０，４０，５０の無線部３５を制御して、その子機３０，４０，５０がオフフックされたことを表す応答信号を親機２０に送信させる。
【００８２】
またステップＳ１７ａでは、前述の図５に示すステップＳ１７と同様に、各子機３０，４０，５０の制御部３６は、その子機３０，４０，５０の無線部３５が、親機２０から送信された呼出し停止信号を受信したか否かを判断し、呼出し停止し号を受信したと判断するとステップＳ１８ａに進み、呼出し停止信号を受信していないと判断するとステップＳ１５ａに戻る。ステップＳ１８ａでは、各子機３０，４０，５０の制御部３６は、その子機３０，４０，５０の出力部３９を制御して、呼出し音の出力を停止させる。このようにして各子機３０，４０，５０の呼出し音の出力を停止するとステップＳ３６に進み、子機３０，４０，５０側の呼出し音の鳴動動作を終了する。
【００８３】
このように本実施形態では、第１の子機３０の周囲の人に対して、第１の子機３０が定位置としての充電台３１に置かれていないことを通知し、その旨を明確に知らしめることができる。
【００８４】
この実施形態では、親機２０の制御部２６によって親機２０の応答コール回数や応答コール時間を増やす例を挙げているが、子機３０の制御部３６によって子機側の応答コール回数や応答コール時間を増やすようにすることもできる。
【００８５】
図８および図９は本発明に係る第２の実施形態の動作のフローチャートであり、図８は親機２０の制御部２６における着信時の呼出し処理の動作を示すフローチャートであり、図９は子機３０，４０，５０の制御部３６における着信時の呼出し処理の動作を示すフローチャートである。図８および図９では、留守番モードに設定されていない場合の動作を示す。
【００８６】
先ず、図８のステップＳ４０の開始時点では、第１の子機３０だけが主に使用する端末に設定されているものとする。
【００８７】
公衆通信回線１を介して親機２０が着呼すると、図８のステップＳ４０で親機２０の制御部２６における着信時の呼出し処理が開始されてステップＳ４１に進み、ステップＳ４１において、親機２０の制御部２６は、子機３０，４０，５０の全てを呼出し、ステップＳ４２に進む。具体的には、前述の図４に示すステップＳ１と同様に、親機２０の制御部２６は、親機２０の無線部２５を制御して、全ての子機３０，４０，５０に呼出し信号を送信させて、ステップＳ４２に進む。
【００８８】
ステップＳ４２では、親機２０の制御部２６は、主に使用する端末に設定されている子機である第１の子機３０が充電器３０ａに装着されていないこと、即ち充電台３１に第１の子機３０が置かれていないことを表す非装着信号を、親機２０の無線部２５が第１の子機３０から受信したか否かを判断し、非装着信号を受信したと判断するとステップＳ４３に進み、非装着信号を受信していないと判断するとステップＳ４７に進む。
【００８９】
ステップＳ４３では、親機２０の制御部２６は、主に使用する端末に設定されている子機、本実施形態では第１の子機３０に、電波を送信するように要求する。具体的には、親機２０の制御部２６は、電波の送信を要求する電波送信要求信号を第１の子機３０に送信するように、親機２０の無線部２５を制御する。親機２０の無線部２５は、親機２０の制御部２６からの指令に基づいて、第１の子機３０に電波送信要求信号を送信する。このようにして第１の子機３０に電波の送信を要求するとステップＳ４４に進む。
【００９０】
ステップＳ４４では、親機２０の制御部２６は、第１の子機３０から送信される電波に基づいて、親機２０と第１の子機３０との距離を測定するように、親機２０の測定部２８を制御する。親機２０の測定部２８は、親機２０の制御部２６からの指令に従って、第１の子機３０から送信される電波に基づいて、親機２０と第１の子機３０との距離を測定する。第２または第３の子機４０，５０が主に使用する端末に設定されている場合には、親機２０と第２または第３の子機４０，５０との距離が測定される。このようにして親機２０と各子機３０，４０，５０との距離が測定部２８によって測定されると、ステップＳ４５に進む。
【００９１】
ステップＳ４５では、測定された親機２０と第１の子機３０との距離（以下「測定距離」ということがある）が、予め設定される基準距離、たとえば５ｍ未満か否かが、親機２０の制御部２６によって判断され、測定距離が基準距離未満である場合にはステップＳ４７に進み、測定距離が基準距離以上であればステップＳ４６に進む。ステップＳ４７では、親機２０の制御部２６は、通常の音色の呼出し音の出力を開始するように、親機２０の出力部２９を制御する。親機２０の出力部２９は、親機２０の制御部２６からの指令に基づいて、通常の音色の呼出し音の出力を開始する。このようにして親機２０の呼出し音の出力を開始すると、ステップＳ３ｂに進む。
【００９２】
ステップＳ４６では、親機２０の制御部２６によって、親機２０の呼出し音の音色を、通常の呼出し音の音色、すなわち親機２０と第１の子機３０との距離が基準距離未満である場合の呼出し音の音色とは異なる音色に変更して、その呼出し音の出力を開始するように親機２０の出力部２９が制御される。親機２０の出力部２９は、親機２０の制御部２６からの指令に基づいて、通常のときとは異なる音色の呼出し音の出力を開始する。このように親機２０の呼出し音の音色を変更することによって、親機２０の近くにいる人に子機３０が近くに存在しないことを知らせ、親機２０で応答すべきかどうか判断しやすくさせることができる。このようにして親機２０の呼出し音の出力を開始すると、ステップＳ３ｂに進む。
【００９３】
ステップＳ３ｂでは、前述の図４に示すステップＳ３と同様に、親機２０の制御部２６は、停止条件を満足するか否かを判断し、停止条件を満足すると判断するとステップＳ４ｂに進み、停止条件を満足しないと判断するとステップＳ３ｂに戻る。ステップＳ４ｂでは、親機２０の制御部２６は、前述の図４に示すステップＳ４と同様に、親機２０の出力部２９を制御して、親機２０の呼出し音の出力を停止させ、ステップＳ５ｂに進む。ステップＳ５ｂでは、親機２０の制御部２６は、前述の図４に示すステップＳ５と同様に、親機２０の無線部２５を制御して、各子機３０，４０，５０に呼出し停止信号を送信させる。このようにして呼出し停止信号を送信すると、ステップＳ４８に進み、着信時の呼出し処理動作を終了する。
【００９４】
一方、各子機３０，４０，５０の側では、図８のステップＳ４１で送信された親機２０からの呼出し信号を、子機３０，４０，５０のいずれもが受信すると、図９に示すステップＳ５０において、各子機３０，４０，５０の制御部３６における着信時の呼出し処理が開始されて、ステップＳ５１に進む。ステップＳ５１では、各子機３０，４０，５０において、主に使用する端末に設定されているか否かがチェックされ、設定されている場合にはステップＳ５２に進み、設定されていない場合にはステップＳ５３に進む。
【００９５】
ステップＳ５１において、本実施形態のように第１の子機３０だけが主に使用する端末に設定され、第２および第３の子機４０，５０は主に使用する端末として設定されていない場合には、第１の子機３０はステップＳ５２に進み、第２および第３の子機４０，５０についてはステップＳ５３に進む。
【００９６】
ステップＳ５２では、前述の図５に示すステップＳ１２と同様に、第１の子機３０の制御部３６は、検出部３８からの検出信号に基づいて、第１の子機３０が第１の充電器３０ａに装着されているか否か、即ち第１の充電器３０ａの充電台３１に置かれているか否かをチェックし、装着されている場合にはステップＳ５３に進み、装着されていない場合にはステップＳ５４に進む。ステップＳ５３では、前述の図５に示すステップＳ１３と同様に、各子機３０，４０，５０の制御部３６は、その子機３０，４０，５０の出力部３９を制御して、通常どおりの、たとえば中程度の音量と音色で呼出し音の出力を開始させる。このようにして各子機３０，４０，５０の出力部３９からの呼出し音の出力を開始させると、ステップＳ５６に進む。また、ステップＳ５４では、前述の図７に示すステップ３４と同様に、第１の子機３０の制御部３６は、第１の無線部３５によって非装着信号を親機２０に送信させることによって、第１の子機３０が充電台３１に置かれていないことを親機２０に通知して、ステップＳ５５に進む。
【００９７】
ステップＳ５５では、前述の図５に示すステップＳ１４と同様に、主に使用する端末に設定されている第１の制御部３６によって、第１の子機３０の出力部３９から出力される呼出し音を、装着状態とは異なる音調に変更して、その呼出し音の出力を第１の子機３０の出力部３９によって開始させる。たとえば、第１の子機３０の制御部３６は、第１の子機３０の呼出し音の音量を大きくしたり、あるいは音色を変えたり、または音量を大きく、かつ音色を変えたりして、通常とは違う印象を子機３０の周囲の人に与える。このようにして主に使用する端末に設定されている端末である第１の子機３０からの呼出し音の出力を開始すると、ステップＳ５６に進む。
【００９８】
ステップＳ５６では、第１の子機３０の制御部３６は、親機２０からの電波送信要求信号を第１の子機３０の無線部３５が受信したか否かを判断し、受信したと判断するとステップＳ５７に進み、受信していないと判断するとステップＳ１５ｂに進む。ステップＳ５７では、第１の子機３０の制御部３６は、親機２０に電波を送信するように、第１の子機３０の無線部３５を制御する。第１の子機３０の無線部３５は、第１の子機３０の制御部３６の指令に基づいて、親機２０に電波を送信する。このようにして親機２０に電波を送信すると、ステップＳ１５ｂに進む。
【００９９】
ステップＳ１５ｂでは、前述の図５に示すステップＳ１５と同様に、各子機３０，４０，５０の制御部３６は、その子機３０，４０，５０がオフフックされたか否かを判断し、オフフックされたと判断するとステップＳ１６ｂに進み、オフフックされていないと判断するとステップＳ１７ｂに進む。ステップＳ１６ｂでは、前述の図５に示すステップＳ１６と同様に、各子機３０，４０，５０の制御部３６は、その子機３０，４０，５０の無線部３５を制御して、その子機３０，４０，５０がオフフックされたことを表す応答信号を親機２０に送信させる。
【０１００】
またステップＳ１７ｂでは、前述の図５に示すステップＳ１７と同様に、各子機３０，４０，５０の制御部３６は、その子機３０，４０，５０の無線部３５が、親機２０から送信された呼出し停止信号を受信したか否かを判断し、呼出し停止し号を受信したと判断するとステップＳ１８ｂに進み、呼出し停止信号を受信していないと判断するとステップＳ５６に戻る。ステップＳ１８ｂでは、各子機３０，４０，５０の制御部３６は、その子機３０，４０，５０の出力部３９を制御して、呼出し音の出力を停止させる。このようにして各子機３０，４０，５０の呼出し音の出力を停止するとステップＳ５８に進み、子機３０，４０，５０側の呼出し音の鳴動動作を終了する。
【０１０１】
図１０は本発明に係る第３の実施形態の動作において、親機２０の制御部２６における着信時の呼出し処理の動作を示すフローチャートである。本実施形態における子機３０，４０，５０の制御部３６における着信時の呼出し処理の動作は、前述の図９に示す第２の実施形態における動作を同様であるので、説明は省略する。
【０１０２】
図１０で示すステップＳ６０の開始時点では、第１の子機３０だけが主に使用する端末に設定されているものとする。
【０１０３】
公衆通信回線１を介して親機２０が着呼すると、図１０のステップＳ６０で親機２０の制御部２６における着信時の呼出し処理が開始されてステップＳ６１に進み、ステップＳ６１において、親機２０の制御部２６が、前述の図４に示すステップＳ１と同様に、親機２０の無線部２５を制御して、全ての子機３０，４０，５０に呼出し信号を送信させて、子機３０，４０，５０の全てを呼出しを開始し、ステップＳ６２に進む。
【０１０４】
ステップＳ６２では、親機２０の制御部２６は、主に使用する端末に設定されている子機である第１の子機３０が充電器３０ａに装着されていないことを表す非装着信号を、親機２０の無線部２５が子機３０から受信したか否かを判断し、非装着信号を受信したと判断するとステップＳ６３に進み、非装着信号を受信していないと判断するとステップＳ６７に進む。
【０１０５】
ステップＳ６３では、親機２０の制御部２６は、前述の図８に示すステップＳ４３と同様に、親機２０の無線部２５を制御して、第１の子機３０に電波送信要求信号を送信させ、ステップＳ６４に進む。ステップＳ６４では、親機２０の制御部２６は、親機２０の測定部２８を制御して、第１の子機３０から送信される電波に基づいて、親機２０と第１の子機３０との距離を測定する。第２または第３の子機４０，５０が主に使用する端末に設定されている場合には、親機２０と第２または第３の子機４０，５０との距離が測定される。このようにして親機２０と各子機３０，４０，５０との距離が測定部２８によって測定されると、ステップＳ６５に進む。
【０１０６】
ステップＳ６５では、親機２０の制御部２６は、測定距離が予め設定された基準距離、たとえば５ｍ未満か否かをチェックし、予め設定された基準距離未満である場合にはステップＳ６６に進み、予め設定された基準距離以上である場合にはステップＳ６７に進む。このように測定距離が予め設定された基準距離未満である場合はステップＳ６６で呼出し音を鳴動させ、基準距離以上である場合はステップＳ６７で呼出し音を鳴動させる。
【０１０７】
ステップＳ６６では、たとえば親機２０の制御部２６によって、親機２０の呼出し音の音量を、測定距離が基準距離以上である場合に比べて小さくさせて、その音量の呼出し音の出力を親機２０の出力部２９に開始させる。このように親機２０の呼出し音の音量を小さくすることによって、親機２０の近くにいる人に第１の子機３０が親機２０の近くに存在することを知らせ、親機２０の近くにいる人に子機３０を探しやすくし、親機２０での応答をできるだけ控えさせ、子機３０での応答をしやすくさせることができる。このようにして親機２０の呼出し音の出力を開始すると、ステップＳ３ｃに進む。
【０１０８】
またステップＳ６７では、親機２０の制御部２６によって、親機２０の呼出し音の音量を、測定距離が基準距離未満である場合に比べて大きくし、その音量の呼出し音の出力を親機２０の出力部２９に開始させて、ステップＳ３ｃに進む。
【０１０９】
ステップＳ３ｃ〜ステップＳ５ｃでは、前述の図８に示すステップＳ３ｂ〜ステップＳ５ｂと同様に、親機２０の制御部２６は、ステップＳ３ｃにおいて停止条件を満足するか否かを判断し、停止条件を満足すると判断するとステップＳ４ｃに進んで、親機２０の出力部２９を制御して親機２０の呼出し音の出力を停止させ、ステップＳ５ｃにおいて、親機２０の無線部２５を制御して、各子機３０，４０，５０に呼出し停止信号を送信させる。このようにして呼出し停止信号を送信すると、ステップＳ６８に進み、着信時の呼出し処理動作を終了する。
【０１１０】
このように親機２０と第１の子機３０との測定距離が基準距離以上である場合に、親機２０からの呼出し音の音量を、前記基準距離未満である場合に比べて大きくするので、子機３０が前記基準距離未満の近辺に存在するか、基準距離以上の遠くに存在するかを呼出し音量によって認識させることができ、第１の子機３０を置き忘れた場合などに、第１の子機３０が存在する領域を認識させることができる。
【０１１１】
以上の第２および第３の本実施形態では、親機２０の呼出し音の音色と音量をそれぞれ個別に変化させているが、これに限られず、親機２０の呼出し音の音量を大きくし、かつ音色を変化させるように、すなわち音量と音色を同時に変化させるようにしてもよい。
【０１１２】
また、第２および第３の実施形態での基準距離として設定される５ｍはあくまでも一例である。親機２０と各子機３０，４０，５０との配置環境によって、任意に設定することが可能であり、５ｍに限定されるものではない。このような基準距離を多段階に複数設定し、各基準距離に応じて、それぞれに呼出し音の音調たとえば音量または音色を異ならせるようにすることも可能である。
【０１１３】
前述の第２の実施形態および第３の実施形態では、測定距離の相違に応じて親機２０からの呼出し音を異なる態様で発生する構成について述べたが、本発明のさらに他の実施の形態では、図１１に示すように、各子機３０，４０，５０の呼出し音を変化させてもよい。図１１は、本発明に係る第４の実施形態の動作において、親機２０の制御部２６の指示に基づく子機３０，４０，５０の制御部３６における着信時の呼出し処理の動作を示すフローチャートである。本実施形態では、第１の子機３０だけが主に使用する端末に設定されているものとする。
【０１１４】
子機３０，４０，５０の全てが親機２０からの呼出し信号を受信すると、ステップＳ７０において、各子機３０，４０，５０の制御部３６における着信時の呼出し処理が開始されて、ステップＳ７１に進む。ステップＳ７１では、各子機３０，４０，５０において、主に使用する端末に設定されているか否かがチェックされ、設定されている場合にはステップＳ７２に進み、設定されていない場合にはステップＳ７３に進む。
【０１１５】
ステップＳ７１において、本実施形態のように第１の子機３０だけが主に使用する端末に設定され、第２および第３の子機４０，５０は主に使用する端末として設定されていない場合には、第１の子機３０についてはステップＳ７２に進み、第２および第３の子機４０，５０についてはステップＳ７３に進む。
【０１１６】
ステップＳ７２では、前述の図５に示すステップＳ１２と同様に、第１の子機３０の制御部３６は、検出部３８からの検出信号に基づいて、第１の子機３０が第１の充電器３０ａに装着されているか否か、即ち第１の充電器３０ａの充電台３１に置かれているか否かをチェックし、装着されている場合にはステップＳ７３に進み、装着されていない場合にはステップＳ７４に進む。ステップＳ７３では、前述の図５に示すステップＳ１３と同様に、各子機３０，４０，５０の制御部３６は、その子機３０，４０，５０の出力部３９を制御して、通常どおりの、たとえば中程度の音量と音色で呼出し音の出力を開始させる。このようにして各子機３０，４０，５０の出力部３９からの呼出し音の出力を開始させると、ステップＳ１５ｃに進む。また、ステップＳ７４では、前述の図７に示すステップ３４と同様に、第１の子機３０の制御部３６は、第１の無線部３５によって非装着信号を親機２０に送信させることによって、第１の子機３０が充電台３１に置かれていないことを親機２０に通知して、ステップＳ５６ａに進む。
【０１１７】
ステップＳ５６ａでは、前述の図９に示すステップＳ５６と同様に、第１の子機３０の制御部３６は、親機２０からの電波送信要求信号を第１の子機３０の無線部３５が受信したか否かを判断し、受信したと判断するとステップＳ５７ａに進み、受信していないと判断するとステップＳ７５に進む。ステップＳ５７ａでは、前述の図９に示すステップＳ５７と同様に、第１の子機３０の制御部３６は、親機２０に電波を送信するように、第１の子機３０の無線部３５を制御する。第１の子機３０の無線部３５は、第１の子機３０の制御部３６の指令に基づいて、親機２０に電波を送信する。このようにして親機２０に電波を送信すると、ステップＳ７５に進む。
【０１１８】
ステップＳ７５では、第１の子機３０の制御部３６は、親機２０の制御部２６から変更信号を受信したか否かを判断し、受信したと判断するとステップＳ７６に進み、受信していないと判断するとステップＳ７３に進む。ステップＳ７６では、第１の子機３０の制御部３６は、親機２０から送信された変更信号に基づいて、第１の子機３０の呼出し音の音調を変更して、その呼出し音の出力を第１の子機３０の出力部２９によって開始させる。すなわち第１の子機３０の制御部３６は、親機２０の制御部２６からの指示によって、第１の子機３０の呼出し音の音調を変更する。たとえば第１の子機３０の制御部３６は、第１の子機３０の呼出し音の音量を大きくしたり、あるいは音色を変えたりして、通常とは違う音調を子機３０の周囲の人に認識させる。このようにして主に使用する端末に設定されている端末である第１の子機３０からの呼出し音の出力を開始すると、ステップＳ１５ｃに進む。
【０１１９】
ステップＳ１５ｃ〜ステップＳ１８ｃでは、前述の図５に示すステップＳ１５〜ステップＳ１８と同様に、各子機３０，４０，５０の制御部３６は、ステップＳ１５ｃで、その子機３０，４０，５０がオフフックされたか否かを判断し、オフフックされたと判断してステップＳ１６ｃにおいて無線部３５を制御して応答信号を親機に送信させるか、または、オフフックされていないと判断してステップＳ１７ｃでの判断で、その子機３０，４０，５０が親機２０から呼出し停止信号を受信したと判断すると、ステップＳ１８ｃに進んで出力部３９を制御して呼出し音の出力を停止させて、ステップＳ７７に進む。つまり各子機３０，４０，５０の制御部３６は、第１〜第３の子機３０，４０，５０および親機２０のいずれか１つがオンフックされると、ステップＳ７７に進み、子機３０，４０，５０側の呼出し音の鳴動動作を終了する。
【０１２０】
本実施形態では、親機２０の制御部２６によって子機側の呼出し音を大きくしたり、音色を変えたりしているが、本発明のさらに他の実施の形態では、各子機３０，４０，５０の制御部３６によって親機２０側の呼出し音を大きくしたり、音色を変えたりすることも可能である。
【０１２１】
以上の実施の形態では、電話装置１０は、留守番電話部６０を備え、留守番モードで動作可能な留守番電話装置であるが、これに限定されず、留守番電話部６０を備えない電話装置であってもよい。この場合にも、たとえば前述の図４，５に示すように主に使用する端末に設定されている子機３０が充電器３０ａに装着されていないときに、その子機３０または親機２０の呼出し音の音量や音色を装着状態のときとは異なる態様に変化させることによって、その子機３０の周囲にいる人に対して、その子機３０が充電器３０ａに装着されていないこと、即ち定位置である充電台３１に置かれていないことを通知し、その旨を明確に認識させることができる。
【図面の簡単な説明】
【０１２２】
【図１】本発明の実施の一形態に係る電話装置１０の構成を示すブロック図である。
【図２】電話装置１０を構成する親機２０と子機３０，４０，５０の外観斜視図である。
【図３】子機３０と充電器３０ａとの充電回路を示す回路図である。
【図４】本発明に係る一実施形態の動作において、親機２０の制御部２６における着信時の呼出し処理の動作を示すフローチャートである。
【図５】本発明に係る一実施形態の動作において、子機３０，４０，５０の制御部３６における着信時の呼出し処理の動作を示すフローチャートである。
【図６】親機２０が留守番電話装置で留守番モードに設定されている場合の親機２０の制御部２６における着信時の呼出し処理の動作を示すフローチャートである。
【図７】親機２０が留守番電話装置で留守番モードに設定されている場合の子機３０，４０，５０の制御部３６における着信時の呼出し処理の動作を示すフローチャートである。
【図８】本発明に係る第２の実施形態の動作において、親機２０の制御部２６における着信時の呼出し処理の動作を示すフローチャートである。
【図９】本発明に係る第２の実施形態の動作において、子機３０，４０，５０の制御部３６における着信時の呼出し処理の動作を示すフローチャートである。
【図１０】本発明に係る第３の実施形態の動作において、親機２０の制御部２６における着信時の呼出し処理の動作を示すフローチャートである。
【図１１】本発明に係る第４の実施形態の動作において、親機２０の制御部２６の指示に基づく子機３０，４０，５０の制御部３６における着信時の呼出し処理の動作を示すフローチャートである。
【符号の説明】
【０１２３】
１  公衆通信回線
１０  電話装置
２０  親機
２１  回線部
２２，３２  操作部
２３，３３  表示部
２４，３４  送受話部
２５，３５  無線部
２６，３６  制御部
２８  測定部
２９，３９  出力部
３０，４０，５０  子機
３０ａ，４０ａ５０ａ  充電器
３８  検出部
【図１】
2009165042.tif 000003
【図２】
2009165042.tif 000004
【図３】
2009165042.tif 000005
【図４】
2009165042.tif 000006
【図５】
2009165042.tif 000007
【図６】
2009165042.tif 000008
【図７】
2009165042.tif 000009
【図８】
2009165042.tif 000010
【図９】
2009165042.tif 000011
【図１０】
2009165042.tif 000012
【図１１】
2009165042.tif 000013